(57)【要約】【課題】  スクリーンを容易に交換する。【解決手段】  可撓性のスクリーン１１と該スクリーン１１を巻き取ったり繰り出したりする巻取体１２とを具備してなる巻取ユニット１０と、巻取ユニット１０の上方側を覆うとともに後部側に取付部２１ｃ，２２ａを有する収納ケース２０とを備え、巻取ユニット１０から引き出されるスクリーン１１を前後に揺動可能にしたロールスクリーン装置において、収納ケース２０の下面側に、巻取ユニット１０を上下方向へ通過可能な開口部Ａを形成し、収納ケース２０の内部には、巻取ユニット１０を脱着可能に支持する被支持部１５を設けた。【選択図】  図１
2015101903.tif 000002
【特許請求の範囲】
【請求項１】
可撓性のスクリーンと該スクリーンを巻き取ったり繰り出したりする巻取体とを具備してなる巻取ユニットと、前記巻取ユニットの上方側を覆うとともに後部側に取付部を有する収納ケースとを備え、前記巻取ユニットから引き出される前記スクリーンを前後に揺動可能にしたロールスクリーン装置において、
前記収納ケースの下面側に、前記巻取ユニットを上下方向へ通過可能な開口部を形成し、前記収納ケースの内部には、前記巻取ユニットを脱着可能に支持する被装着部を設けたことを特徴とするロールスクリーン装置。
【請求項２】
前記収納ケース内に、前記巻取ユニットを上下方向へ移動可能であって且つ前後方向へも移動可能な着脱空間を確保し、
前記被装着部は、前記着脱空間の後側に位置するとともに、前記巻取ユニットの被支持部を下方から受ける受部を有することを特徴とする請求項１記載のロールスクリーン装置。
【請求項３】
前記被装着部は、前記受部に載置されて後方へ移動した際の被支持部に対し、その後方側から当接する後側当接部を有することを特徴とする請求項２記載のロールスクリーン装置。
【請求項４】
前記被装着部は、前記巻取ユニットを上方へ持ち上げた際に、前記被支持部に対し上方側から当接する上側当接部を有し、
前記上側当接部は、前記受部の上方側で前記受部よりも前方側へ突出するとともに、前記受部との間に前記被支持部を嵌脱可能な空間を確保していることを特徴とする請求項２又は３記載のロールスクリーン装置。
【請求項５】
前記収納ケースは、前記開口部の後半部を塞ぐカバー部材を着脱可能に備えるとともに、該カバー部材よりも前側を、前記スクリーンを繰出すためのスクリーン繰出開口部としていることを特徴とする請求項１乃至４何れか１項記載のロールスクリーン装置。
【請求項６】
前記カバー部材は、前記巻取体の略真下に配置されるとともに、前記巻取体の下半部に対し間隔を置くようにして断面凹状に形成されていることを特徴とする請求項５記載のロールスクリーン装置。
【請求項７】
建物の基体に前記収納ケースを装着した後に、前記基体よりも外側に外壁を設けるようにしたことを特徴とする請求項１乃至５何れか１項記載のロールスクリーン装置の設置方法。
【発明の詳細な説明】
【技術分野】
【０００１】
本発明は、建物の壁等に取り付けられて、例えば、日よけや雨よけ等のためにスクリーンが繰り出されるようにしたロールスクリーン装置及び該ロールスクリーン装置の設置方法に関するものである。
【背景技術】
【０００２】
従来、この種の発明には、例えば、特許文献１に記載されるもののように、可撓性のスクリーン（遮光スクリーン６）と、該スクリーンを巻き取ったり繰り出したりする巻取体（軸７）と、該巻取体を上方側から覆うとともに後部側に建物外壁に対する取付部を有する収納ケース（遮光スクリーン収納ケース５）とを備えたものがある。
この従来技術では、引き出されたスクリーンをベランダの床面や柵等に固定し、該スクリーンを日よけ等として用いることができる。
【０００３】
しかしながら、前記従来技術によれば、強風によりスクリーンが破損した場合や、季節や好み等に応じてスクリーンの色や模様を変えたい場合等、スクリーンを交換する場合には、収納ケースを含む装置全体を建物外壁から取り外し、該装置毎交換するか、該装置を分解してスクリーンを交換する必要がある。このため、その交換作業が煩雑で時間がかかったり、交換の際に建物側に傷をつけてしまったりなどするおそれがある。
【先行技術文献】
【特許文献】
【０００４】
【特許文献１】特開２００５−３３４５１２号公報
【発明の概要】
【発明が解決しようとする課題】
【０００５】
本発明は上記従来事情に鑑みてなされたものであり、その課題とする処は、スクリーンを容易に交換することができるロールスクリーン装置及び該ロールスクリーン装置の設置方法を提供することにある。
【課題を解決するための手段】
【０００６】
上記課題を解決するための一手段は、可撓性のスクリーンと該スクリーンを巻き取ったり繰り出したりする巻取体とを具備してなる巻取ユニットと、前記巻取ユニットの上方側を覆うとともに後部側に取付部を有する収納ケースとを備え、前記巻取ユニットから引き出される前記スクリーンを前後に揺動可能にしたロールスクリーン装置において、前記収納ケースの下面側に、前記巻取ユニットを上下方向へ通過可能な開口部を形成し、前記収納ケースの内部には、前記巻取ユニットを脱着可能に支持する被装着部を設けたことを特徴とする。
【発明の効果】
【０００７】
本発明は、以上説明したように構成されているので、スクリーンを容易に交換することができる。
【図面の簡単な説明】
【０００８】
【図１】本発明に係るロールスクリーン装置の一例を示す斜視図であり、収納ケースから巻取ユニットを外した状態を示す。
【図２】同ロールスクリーン装置を建物に設置する手順を（ａ）と（ｂ）に順次に示す斜視図である。
【図３】収納ケースに対し巻取ユニットを装着している状態を示す斜視図である。
【図４】巻取ユニットを収納ケース内へ向けて持ち上げている状態を示す側面図であり、側部を外した状態を示す。
【図５】巻取ユニットを収納ケース内へ装着した状態を示す側面図であり、側部を外した状態を示す。
【図６】巻取ユニットの分解斜視図である。
【図７】収納ケースの一方の側部及び被装着部を示し、（ａ）は収納ケース内側から視た側面図であり、（ｂ）は正面図である。
【発明を実施するための形態】
【０００９】
本実施の形態のロールスクリーン装置の第一の特徴は、可撓性のスクリーンと該スクリーンを巻き取ったり繰り出したりする巻取体とを具備してなる巻取ユニットと、前記巻取ユニットの上方側を覆うとともに後部側に取付部を有する収納ケースとを備え、前記巻取ユニットから引き出される前記スクリーンを前後に揺動可能にしたロールスクリーン装置において、前記収納ケースの下面側に、前記巻取ユニットを上下方向へ通過可能な開口部を形成し、前記収納ケースの内部には、前記巻取ユニットを脱着可能に支持する被装着部を設けた。
ここで、「前記巻取ユニットから引き出される前記スクリーンを前後に揺動可能にした」とは、引き出されるスクリーンがその撓み変形によって前後に揺動可能であることを意味する。したがって、上記ロールスクリーン装置には、例えば、シャッター装置のように、引き出される開閉体の幅方向端部を、例えばサッシ枠等の不動部位に固定されたガイドレールにより囲んで、該開閉体が前後に揺動しないようにした構造を含まない。
この構成によれば、収納ケース内の被装着部から外した巻取ユニットを開口部に通過させて外部に引き出したり、新規の巻取ユニットを外部から開口部に通過させて被装着部に装着したりすることができる。
【００１０】
第二の特徴としては、前記収納ケース内に、前記巻取ユニットを上下方向へ移動可能であって且つ前後方向へも移動可能な着脱空間を確保し、前記被装着部は、前記着脱空間の後側に位置するとともに、前記巻取ユニットの被支持部を下方から受ける受部を有する。
この構成によれば、被支持部に巻取ユニットを装着する際、上方へ持ち上げた巻取ユニットを後方へ移動して受部に載せることができ、その作業性が良好である。
【００１１】
第三の特徴としては、前記被装着部は、前記受部に載置されて後方へ移動した際の被支持部に対し、その後方側から当接する後側当接部を有する。
この構成によれば、前記受部に載置した被装着部を後方へ滑らせて移動すれば、該被装着部が後側当接部に当接して位置決めされる。
【００１２】
第四の特徴としては、前記被装着部は、前記巻取ユニットを上方へ持ち上げた際に、前記被支持部に対し上方側から当接する上側当接部を有し、前記上側当接部は、前記受部の上方側で前記受部よりも前方側へ突出するとともに、前記受部との間に前記被支持部を嵌脱可能な空間を確保していることを特徴とする。
この構成によれば、巻取ユニットを上方へ持ち上げると、該巻取ユニットの被支持部が、その上方側の上側当接部に当接する。その当接状態のまま、巻取ユニットを後方へ移動すれば、被止着部が受部と上側当接部との間に嵌り合う。
【００１３】
第五の特徴としては、前記収納ケースは、前記開口部の後半部を塞ぐカバー部材を着脱可能に備えるとともに、該カバー部材よりも前側を、前記スクリーンを繰出すためのスクリーン繰出開口部としている。
この構成によれば、収納ケース下面の開口部を、通常時はカバー部材によって狭めて用い、巻取体ユニットを着脱する際にはカバー部材を外して広くすることができる。
【００１４】
第六の特徴としては、前記カバー部材は、前記巻取体の略真下に配置されるとともに、前記巻取体の下半部に対し間隔を置くようにして断面凹状に形成されている。
この構成によれば、巻取体に巻いたスクリーンが、巻太りして垂れ下がり、収納ケース内の下面に接触するようなことを断面凹状のカバー部材により防ぐことができる。
【００１５】
第七の特徴としては、ロールスクリーン装置の設置方法であって、建物の基体に前記収納ケースを装着した後に、前記基体よりも外側に外壁を設けるようにした。
この構成によれば、比較的軽量な収納ケースを先に装着するようにしているため、作業性が良好である。また、収納ケースはスクリーン交換の際も取り外されることなく、建物に一体化されるので、美観が良好な上、収納ケースと建物との間に隙間が生じて該隙間に雨水が染み込むようなことを防ぐことができる。
なお、この設置方法において、さらに好ましくは、前記外壁を設けた後で、前記収納ケース内に前記巻取ユニットを装着する。
【００１６】
また、さらに好ましい特徴としては、上記ロールスクリーン装置において、前記巻取ユニットは、前記巻取体をその左右両側で回転可能に支持する軸受ブラケットと、これら左右の軸受ブラケットを両端側に支持する基部とを備え、前記軸受ブラケットには、前記基部側へ突出する接続片部が設けられ、前記被支持部には、前記基部側へ突出する接続片部が設けられ、前記軸受ブラケットの接続片部と前記被支持部の接続片部とは、重ね合わせられて、前記基部の端部に嵌合されている（図６参照）。
この構成によれば、巻取ユニットからスクリーンを外して異なるものに交換する場合に、その交換作業を容易にすることができる。
【実施例】
【００１７】
次に、上記特徴を有する好ましい実施例を、図面に基づいて詳細に説明する。
なお、本明細書中、「左右方向」とは、収納ケース２０内に装着状態の巻取ユニット１０の長手方向（軸方向）を意味し、この方向を開閉体幅方向又はスクリーン幅方向という場合もある。また、「前後方向」とは、前記左右方向と略直交する方向であって且つ上下方向とも略直交する方向を意味し、この方向を開閉体厚さ方向又はスクリーン厚さ方向という場合もある。さらに、「後（後方向）」とは、前記前後方向のうち、収納ケース２０内に装着状態の巻取ユニット１０の中心に対して建物側に向かう方向を意味する。また、「前（前方向）」とは、前記前後方向のうち、前記後（後方向）に対する反対の方向を意味する。なお、前（前方向）や後（後方向）とは、相対的なものであって、前述の後（後方向）を前（前方向）と定義し、この反対の方向を後（後方向）と定義することも可能である。
【００１８】
このロールスクリーン装置は、図１〜図７に示すように、可撓性のスクリーン１１を巻取体１２によって巻き取ったり繰り出したりする巻取ユニット１０と、巻取ユニット１０の上方側を覆うとともに後部側に取付部２１ｃ，２２ａを有する収納ケース２０と、収納ケース２０の内部で前記巻取ユニット１０を脱着可能に支持する被装着部３０とを備え、巻取ユニット１０から引き出されるスクリーン１１は前後に揺動可能である。
【００１９】
巻取ユニット１０は、図６に示すように、スクリーン１１と、該スクリーン１１を巻き取る巻取体１２と、該巻取体１２を両端側で支持する軸受ブラケット１３，１３と、これら軸受ブラケット１３，１３を後部側で連結する基部１４と、軸受ブラケット１３，１３と共に基部１４の両端側に固定された被支持部１５，１５とを具備し、巻取体１２内の図示しない付勢部材（例えば、ねじりコイルバネ等）によって巻取体１２を巻取り回転方向へ付勢している。
【００２０】
スクリーン１１は、巻取体１２に巻かれた長尺帯状の部材であり、例えば、ガラスクロスやシリカクロス等の難燃性布地や、フッ素加工を施した塩化ビニル樹脂シート材、ガラス繊維を含んだ合成樹脂シート材等、耐火性（難燃性を含む）を有する可撓性シート材料から形成され、特に好ましくは、不燃性の可撓性シート材料から形成される。
このスクリーン１１の上端部は、巻取体１２の外周部に止着され、下端部には、バー１１ａが接続される。
【００２１】
バー１１ａは、スクリーン１１の幅よりも若干長い円筒状の部材であり、スクリーン１１が引き出された際に、スクリーン１１を幅方向の全長にわたって引き張って、該スクリーン１１に皺等が生じるのを防ぐ。このバー１１ａの略中央部には、該バー１１ａを引っ張るための紐状部材１１ｂが吊り下げられている（図１参照）。
【００２２】
なお、スクリーン１１の上下方向の長さは、スクリーン１１が巻取体１２から全て繰り出された状態で、バー１１ａの下端が床やサッシ下枠等の被当接部材に当接する程度の長さとしてもよいし、同状態で、バー１１ａの下端が前記被当接部材に当接せずに空中に留まる程度の長さとしてもよい。
【００２３】
また、巻取体１２は、スクリーン１１の幅の長さを有する略円筒状の部材であり、両側の軸受ブラケット１３，１３及びベアリング等（図示せず）を介して回転自在に支持されるとともに、内部の付勢部材（例えば、ねじりコイルバネ等）によって巻取り方向へ付勢されている。
【００２４】
各軸受ブラケット１３は、図６に示すように、巻取体１２を支持する支持片部１３ａと、該支持片部１３ａに対し略直角に曲げられた接続片部１３ｂとからなる略Ｌ金具状に形成され、接続片部１３ｂが基部１４の端部側に嵌合固定されている。
支持片部１３ａに巻取体１２を接続する手段は、図示例によれば、ネジやボルト等の止着具１６を用いているが、他例としては、巻取体１２を軸受ブラケット１３に対し回転可能に嵌合した態様等とすることも可能である。
【００２５】
基部１４は、図６に示すように、断面略横向き凹状の被係合部１４ａを横幅方向へわたって連続させた長尺状の部材である。
被係合部１４ａの上端側には、巻取体１２側へ突出するとともにその先端側が下方側へ曲げられた突片を有する。また、同被係合部１４ａの下端側には、巻取体１２側へ突出するとともにその先端側が上方側へ曲げられた突片を有する。そして、これら上下の突片間には、軸受ブラケット１３の接続片部１３ｂと、被支持部１５の接続片部１５ｄとが差し込まれる。
【００２６】
被支持部１５は、図６に示すように、前方へ突出する下側片部１５ａと、該下側片部１５ａに対し上方へ間隔を置くとともに前方へ突出する上側片部１５ｂと、これら下側片部１５ａと上側片部１５ｂを連結する連結片部１５ｃと、該連結片部１５ｃから基部１４側へ突出する接続片部１５ｄとを具備し、一体に形成される。
下側片部１５ａは、略平板状に形成され、略水平に配置される。
上側片部１５ｂは、下側片部１５ａの前端よりも前方へ突出する略平板状に形成され、略水平に配置される。
連結片部１５ｃは、下側片部１５ａと上側片部１５ｂを接続する平板状の部位である。これら下側片部１５ａ、上側片部１５ｂ及び連結片部１５ｃは、側面視略コ字状に構成される（図６参照）。
接続片部１５ｄは、連結片部１５ｃから基部１４側へ突出する平板状に形成され、軸受ブラケット１３の接続片部１３ｂの後側に重ね合わせられて、基部１４の被係合部１４ａの端部へ挿入され嵌合固定される。
【００２７】
収納ケース２０は、下面側に開口部Ａを有する略立方体状に形成される。この収納ケース２０内には、巻取ユニット１０を、開口部Ａを通過させて上下方向へ移動可能であって、且つ前後方向へも移動可能にする着脱空間Ｓが確保される（図４参照）。そして、収納ケース２０内における着脱空間Ｓの後側には、被装着部３０が固定される。
詳細に説明すれば、この収納ケース２０は、上方及び前方を囲む本体部２１と、該本体部２１の左右の側方を覆う側部２２，２２と、開口部Ａの後半部を塞ぐ着脱可能なカバー部材２３（図３参照）とを具備し、該カバー部材２３よりも前側を、スクリーン１１を繰出すためのスクリーン繰出開口部ａ（図５参照）としている。
【００２８】
本体部２１は、被支持部１５の上方に位置する天板部２１ａと、該天板部２１ａの前端で下方へ延設された前板部２１ｂと、本体部２１の後端で上下方向へ延設された取付部２１ｃと、下面側において開口部Ａよりも後側に位置する後下板部２１ｄ（図４参照）とから一体に形成される。
取付部２１ｃは、図４に示すように、天板部２１ａよりも下側へ延設された掛止片部２１ｃ１と、天板部２１ａよりも上側に延設された止着片部２１ｃ２とを一体に有する。掛止片部２１ｃ１は、建物側に予め固定された掛止金具２４に引っ掛けられる。また、止着片部２１ｃ２は、挿通される止着具（例えば、ネジやボルト、釘等）によって建築物の基体Ｘ１に止着される。
前記掛止金具２４は、突端部を略フック状に形成した金具であり、建築物の基体Ｘ１に対し、止着具（例えば、ネジやボルト、釘等）によって予め止着されている。
【００２９】
左右の側部２２，２２の各々は、本体部２１の側方を覆う部材である。図示例の側部２２の後端側には、横方向へ曲げられた片状の取付部２２ａが設けられる。この取付部２２ａは、止着具（例えば、ネジやボルト、釘等）によって基体Ｘ１に止着される。
各側部２２の内面（換言すれば、収納ケース２０内側の側面）には、巻取ユニット１０を脱着可能に支持する被装着部３０（図３参照）が固定されている。
【００３０】
また、カバー部材２３は、巻取体１２の略真下に配置されるとともに、巻取体１２の下半部に対し間隔を置くようにして断面凹状に形成され、巻取体軸方向へ連続する長尺凹板状に形成される。
このカバー部材２３は、収納ケース２０下面の開口部Ａの後側を防ぐように配置され、収納ケース２０に対し、ネジやボルト等の止着具によって着脱可能に止着される。このカバー部材２３を収納ケース２０に止着した後、該カバー部材２３の前側には、スクリーン１１及びバー１１ａを上下に通過可能なスクリーン繰出開口部ａが確保される（図５参照）。
【００３１】
被装着部３０は、図７に詳細に示すように、受部３１と、後側当接部３２と、上側当接部３３と、これらを一体に接続する基板部３４とを一体に具備し、例えば、金属板金材料をプレス加工や曲げ加工等することで構成される。
この被装着部３０は、図４に示すように、巻取ユニット１０内の着脱空間Ｓの後側に位置し、基板部３４が、側部２２の内側面に対し、ネジ止めやリベット止め、溶接等の止着手段により固定される。
【００３２】
受部３１は、略水平板状の部位であり、図４に示す一例によれば、前後方向（図示の左右方向）の位置関係において、その前端縁が、開口部Ａの後端縁（換言すれば、収納ケース２０の後下板部２１ｄの前端）と略一致するように設けられる。そして、この受部３１は、図５に示すように、巻取ユニット１０の被支持部１５を下方から受ける。なお、図示例によれば、受部３１は、被支持部１５の下側片部１５ａと前後方向の長さが略同一である。
【００３３】
後側当接部３２は、受部３１に載置されて後方へ移動した際の被支持部１５に対し、その後方側から当接する部位であり、基板部３４の後端部の下端寄りから巻取体軸方向に沿って突出する板状を呈する。
【００３４】
上側当接部３３は、受部３１の上方側で受部３１の前端よりも前方側へ突出するとともに、受部３１との間に、被支持部１５を嵌脱可能な空間を確保している。
この上側当接部３３の前側には、被支持部１５に挿通される止着具（ネジやボルト等）を螺合し支持する雌ネジ部３３ａが設けられる。この雌ネジ部３３ａは、図示例によれば、上側当接部３３に形成された孔及び該孔に連通するように固定されたウェルドナットによって構成される。
【００３５】
基板部３４は、受部３１、後側当接部３２及び上側当接部３３を、側部２２側で連結する板状に形成される。なお、他例としては、この基板部３４を省き、受部３１、後側当接部３２及び上側当接部３３がそれぞれ側部２２に固定された態様や、側部２２の一部を切り起こすように曲げて受部３１、後側当接部３２及び上側当接部３３を形成した態様等とすることも可能である。
【００３６】
次に、上記構成のロールスクリーン装置を、建物の壁面に設置する手順について詳細に説明する。
先ず、図２（ａ）に示すように、建物の基体Ｘ１に、掛止金具２４，２４が止着され固定される。この際、掛止金具２４，２４は、建物に固定されたサッシ枠Ｘ２の上端に当接するようにして位置合わせされ、左右に適宜な間隔を置いて配設される。各掛止金具２４は、挿通される止着具（例えば、ネジやボルト、釘等）によって、基体Ｘ１に止着固定される。なお、基体Ｘ１は、建物の外壁の内側にはられたボード等である。
【００３７】
次に、巻取ユニット１０を外した状態の収納ケース２０が、左右の掛止金具２４，２４に掛けられる。詳細には、収納ケース２０後端側の取付部２１ｃの掛止片部２１ｃ１が、掛止金具２４前端のフック状部分に掛けられ（図２（ｂ）参照）、収納ケース２０の重量の一部が掛止金具２４に加わるようにして、収納ケース２０が支えられる。
【００３８】
次に、収納ケース２０の取付部２１ｃ，２２ａに止着具（例えば、ネジやボルト、釘等）が挿入され、該止着具が基体Ｘ１に止着される（図２（ｂ）参照）。
【００３９】
この後、収納ケース２０の上方側や側方側に、外壁Ｘ３（例えば、サイディング壁や、モルタル壁等）が施工され、さらに、外壁Ｘ３と収納ケース２０の間の水密処理等が施される（図４参照）。
【００４０】
次に、収納ケース２０内に、巻取ユニット１０が装着される。
詳細に説明すれば、巻取ユニット１０は、図４に示すように、収納ケース２０の下方から、開口部Ａを通過させるようにして上方へ持ち上げられ、該被支持部１５の上側片部１５ｂを、被装着部３０の上側当接部３３に当接させる。
そして、この当接状態のまま、巻取ユニット１０は、後方へ移動される。したがって、被支持部１５が、受部３１に載置されるとともに、受部３１と上側当接部３３の間に嵌り込む。この状態では、巻取ユニット１０の重量が被装着部３０に加わるようにして、巻取ユニット１０が支えられる。
【００４１】
さらに、前記嵌合状態のまま、巻取ユニット１０を後方へ移動すれば、各被支持部１５の後端部が、被装着部３０後端の後側当接部３２に当接し、巻取ユニット１０が位置決めされる。
この後、被支持部１５は、上側当接部３３に対し、止着具（ネジやボルト等）によって不動に固定される。
【００４２】
この後、図５に示すように、収納ケース２０の下面に対し、カバー部材２３が止着固定される。
【００４３】
また、長期間の使用や強風によりスクリーン１１が損傷した場合や、スクリーン１１の色やデザインを変更したい場合等には、巻取ユニット１０を収納ケース２０から取り外して、他の巻取ユニット１０に交換すればよい。
巻取ユニット１０を外す手順は、上記した装着手順の逆であり、カバー部材２３を外し、巻取ユニット１０を止着している止着具を外し、巻取ユニット１０を前方へずらすように移動し、この巻取ユニット１０を開口部Ａに通過させるようにして下方へ移動すればよい。
【００４４】
よって、上記構成のロールスクリーン装置及び該ロールスクリーン装置の設置方法によれば、スクリーン交換のために収納ケースを外す必要のあった従来技術等に比較し、スクリーン１１の交換作業が容易であり、ひいては、交換作業中に、建物側の部材を傷つけてしまうようなことを防ぐことができる。
【００４５】
また、収納ケース２０から取り外した巻取ユニット１０から、さらにスクリーン１１を取り外し交換することも容易である。
すなわち、この場合には、図６に示すように、軸受ブラケット１３と巻取体１２の間の止着具を外し、基部１４の端部から軸受ブラケット１３及び被支持部１５を抜き取れば、巻取体１２、スクリーン１１及びバー１１ａをフリーにすることができる。この後、巻取体１２からスクリーン１１を繰出して、スクリーン１１を巻取体１２から外し、他のスクリーン１１の上端を巻取体１２に止着すればよい。組立順序は前記と逆である。
【００４６】
また、上記ロールスクリーン装置において、スクリーン１１を巻き取った際には、巻取ユニット１０の周りにスクリーン１１が巻き太って垂れ下がるおそれがあるが、この垂れ下がり部分の下方は、図５に示すように、カバー部材２３内面による凹部となっているため、前記垂れ下がり部分が、収納ケース２０内の下面に接触するようなことを防ぐことができ、ひいては、収納ケース２０の上下寸法を比較的小さくしたデザインが可能となる。
【００４７】
なお、上記実施例によれば、特に組立作業性の好ましい態様として、上方へ移動した巻取ユニット１０を後方へずらして被支持部１５と被装着部３０が嵌り合う構造としたが、他例としては、上方へ移動した巻取ユニット１０をそのまま止着具（ネジやボルト等）によって収納ケース２０内に脱着可能に止着する態様とすることも可能である。
【００４８】
さらに、上記実施例によれば、特に組立作業性の好ましい態様として、被装着部３０を側面視略コ字状に形成したが、他例としては、上記被装着部３０から後側当接部３２及び／又は上側当接部３３を省いた態様とすることも可能である。
【００４９】
また、上記実施例では、特に好ましい設置方法として、建物の基体Ｘ１外側面に収納ケース２０を装着した後に外壁Ｘ３を設け、その後で、収納ケース２０内に巻取ユニット１０を装着するようにしたが、他例としては、基体Ｘ１外側面に収納ケース２０を装着した後に、該収納ケース２０内に巻取ユニット１０を装着し、その後で、外壁Ｘ３を設けるようにしてもよい。
【００５０】
また、上記実施例では、建物における外壁Ｘ３の内側の基体Ｘ１に、収納ケース２０を設置するようにしたが、他例としては、外壁Ｘ３の外面に対し、収納ケース２０を装着した設置構造とすることも可能である。
【００５１】
また、可撓性のスクリーン１１とは、スクリーン１１が巻取体１２によって巻き取ったり繰り出したりすることが可能であり、且つ、繰り出されたスクリーン１１が前後に揺動可能にするものであればよく、スクリーン１１全体やその大部分を可撓性にするのではなく、スクリーン１１の一部分を可撓性にした構成とすることも可能である。例えば、可撓性のスクリーン１１には、横幅方向へ長尺な硬質部材を上下方向へ複数並べ設けるとともに、これら上下に並ぶ硬質部材を軟質の紐状部材により互いに結合した態様や、横幅方向へ長尺な構成部材を上下方向へ複数並べ設けるとともに、これらを上下間で互いに緩く係合してなる態様等とすることも可能である。
【００５２】
また、図示例によれば、スクリーン１１の繰出し位置を巻取体１２の前側（図４によれば左側）としたが、他例としては、前記とは反対に、スクリーン１１の繰出し位置を巻取体１２の後側（図４によれば右側）とすることも可能である。なお、この他例では、引き出されるスクリーン１１が邪魔にならないようにカバー部材２３や受部３１を構成する。
【符号の説明】
【００５３】
１０：巻取ユニット                  １１：スクリーン
１２：巻取体                        １３：軸受ブラケット
１４：基部                          １５：被支持部
１５ａ：下側片部                    １５ｂ：上側片部
２０：収納ケース                    ２１ｃ，２２ａ：取付部
３０：被装着部                      ３１：受部
３２：後側当接部                    ３３：上側当接部
Ａ：開口部                          Ｘ１：基体
Ｘ２：サッシ枠                      Ｘ３：外壁
ａ：スクリーン繰出開口部
【図１】
2015101903.tif 000003
【図２】
2015101903.tif 000004
【図３】
2015101903.tif 000005
【図４】
2015101903.tif 000006
【図５】
2015101903.tif 000007
【図６】
2015101903.tif 000008
【図７】
2015101903.tif 000009